(57)【要約】【課題】吸収性補助パッドの表面で軟便を効率的に堰き止め、軟便中の水分を効率的に吸収性補助パッド内に吸収する。【解決手段】吸収体及び液透過性の表面材を有し、吸収性物品に配置される吸収性補助パッドであって、当該吸収性補助パッドは、可撓性を有する柱状の形態であり、吸収体は、当該吸収性補助パッドの長手方向に沿って延在し、長手方向に交差する短手方向の側面が表面材に覆われており、当該吸収性補助パッドは、長手方向の寸法が８００ｍｍ以上１５００ｍｍ以下であり、長手方向に交差する面で切断した場合の当該吸収性補助パッドの断面の形状は、略矩形又は略円形であり、断面の外周は、９５ｍｍ以上１４０ｍｍ以下であり、表面材は、開孔がある不織布であり、表面材と吸収体の間に、開孔を有さない親水性不織布からなる中間材を更に有する、吸収性補助パッドが開示される。【選択図】図１Ａ
2020018565.tif 000002
【特許請求の範囲】
【請求項１】
吸収体及び液透過性の表面材を有し、吸収性物品に配置される吸収性補助パッドであって、
当該吸収性補助パッドは、可撓性を有する柱状の形態であり、
前記吸収体は、当該吸収性補助パッドの長手方向に沿って延在し、前記長手方向に交差する短手方向の側面が前記表面材に覆われており、
当該吸収性補助パッドは、前記長手方向の寸法が８００ｍｍ以上１５００ｍｍ以下であり、
前記長手方向に交差する面で切断した場合の当該吸収性補助パッドの断面の形状は、略矩形又は略円形であり、
前記断面の外周は、９５ｍｍ以上１４０ｍｍ以下であり、
前記表面材は、開孔がある不織布であり、
前記表面材と前記吸収体の間に、開孔を有さない親水性不織布からなる中間材を更に有する、吸収性補助パッド。
【請求項２】
前記表面材が、親水性サーマルボンド不織布又は親水性スパンボンド不織布である、請求項１に記載の吸収性補助パッド。
【請求項３】
前記吸収体が、少なくとも吸収性繊維を含有する、請求項１又は２に記載の吸収性補助パッド。
【請求項４】
前記吸収性繊維が、フラッフパルプであり、
前記表面材の長手方向両端部が、閉塞されており、
前記表面材が、前記吸収体の全体を覆っている、請求項３に記載の吸収性補助パッド。
【請求項５】
前記吸収体が、一種又は二種以上の親水性嵩高不織布であり、前記親水性嵩高不織布が積層され又は蛇腹状に折り畳まれる、請求項１又は２に記載の吸収性補助パッド。
【請求項６】
前記表面材の開口率が、１０−５０％である、請求項１又は２に記載の吸収性補助パッド。
【請求項７】
前記表面材の開孔形状が、円または楕円である、請求項１又は２に記載の吸収性補助パッド。
【発明の詳細な説明】
【技術分野】
【０００１】
本発明は、吸収性補助パッドに関する。
【背景技術】
【０００２】
一般的に大人用紙おむつには、テープ止めタイプ、パンツタイプ等があり、これらの紙おむつは使用者の排泄における介護の必要度に応じて適宜選択されて使用される。これらの吸収性物品は、液透過性のトップシートと、液不透過性のバックシートと、両シートの間に配置された吸収体と、で構成されている。このような構成を採用することにより、尿等の体液は、吸収性物品のトップシートを透過して吸収体に吸収され、バックシートにより外部へ漏れないようになっている。
【０００３】
ところで、テープ止めタイプやパンツタイプの紙おむつ（以下、テープ止めタイプ等の紙おむつと称する）は、それ自体を単独で使用する場合と、その内側に尿取りパッドを併用する場合があるが、現在は、尿取りパッドと併用し、尿取りパッドを、トップシート上に重ねて使用する場合がほとんどである。これは、紙おむつ１枚当たりのコストが高いためで、テープ止めタイプ等の紙おむつに比して安価な尿取りパッドで排泄物を吸収して保持した後、尿取りパッドのみを交換することで、排泄後においても、よりコストの高いテープ止めタイプ等の紙おむつを交換せずに済み、経済的に低いコストで吸収性物品を使用できるためである。
【０００４】
ここで、尿取りパッドは、尿量に応じて様々なサイズや形状があり、排泄された尿を確実に吸収して漏れを防止することができる。しかしながら、軟便、水様便、下痢便（以下、軟便等と称する）に対しては、吸収性が不十分であり、軟便等が尿取りパッド及びテープ止めタイプ等の紙おむつの外部に漏れることがあったため、軟便等の漏れを防止することを目的とした尿取りパッドについても検討がなされている。
【０００５】
軟便等の漏れを防止することを目的とした尿取りパッドとしては、例えば、特許文献１に、トップシートと、バックシートと、吸収体と、立体ギャザーと、を備えた尿取りパッドにおいて、少なくとも股間部の前端よりも後側の範囲内における、立体ギャザーの突出部位より側方に延在する部分に、衣類側表面から見てカップ状に窪んだカップ部が設けられていることを特徴とする尿取りパッドが開示されている。
【先行技術文献】
【特許文献】
【０００６】
【特許文献１】特開２０１４−４５９８０号公報
【発明の概要】
【発明が解決しようとする課題】
【０００７】
しかしながら、軟便ヒモのような吸収性補助パッドは、軟便が漏れた際の土手としての機能を発揮するが、吸収性補助パッドの表面に軟便が付着すると目詰まりし、液体が吸収されにくくなってしまう。
【０００８】
そこで、１つの側面では、本発明は、吸収性補助パッドの表面で軟便を効率的に堰き止め、軟便中の水分を効率的に吸収性補助パッド内に吸収することを目的とする。
【課題を解決するための手段】
【０００９】
１つの側面では、以下のような解決手段を提供する。
【００１０】
（１）吸収体及び液透過性の表面材を有し、吸収性物品に配置される吸収性補助パッドであって、
当該吸収性補助パッドは、可撓性を有する柱状の形態であり、
前記吸収体は、当該吸収性補助パッドの長手方向に沿って延在し、前記長手方向に交差する短手方向の側面が前記表面材に覆われており、
当該吸収性補助パッドは、前記長手方向の寸法が８００ｍｍ以上１５００ｍｍ以下であり、
前記長手方向に交差する面で切断した場合の当該吸収性補助パッドの断面の形状は、略矩形又は略円形であり、
前記断面の外周は、９５ｍｍ以上１４０ｍｍ以下であり、
前記表面材は、開孔がある不織布であり、
前記表面材と前記吸収体の間に、開孔を有さない親水性不織布からなる中間材を更に有する、吸収性補助パッドである。
【００１１】
（２）上記（１）の構成において、前記表面材が、親水性サーマルボンド不織布又は親水性スパンボンド不織布であることを特徴とする。
【００１２】
（３）上記（１）又は（２）の構成において、前記吸収体が、少なくとも吸収性繊維を含有することを特徴とする。
【００１３】
（４）上記（３）の構成において、前記吸収性繊維が、フラッフパルプであり、
前記表面材の長手方向両端部が、閉塞されており、
前記表面材が、前記吸収体の全体を覆っていることを特徴とする。
【００１４】
（５）上記（１）又は（２）の構成において、前記吸収体が、一種又は二種以上の親水性嵩高不織布であり、前記親水性嵩高不織布が積層され又は蛇腹状に折り畳まれることを特徴とする。
【００１５】
（６）上記（１）又は（２）の構成において、前記表面材の開口率が、１０−５０％であることを特徴とする。
【００１６】
（７）上記（１）又は（２）の構成において、前記表面材の開孔形状が、円または楕円であることを特徴とする。
【発明の効果】
【００１７】
１つの側面では、本発明によれば、吸収性補助パッドの表面で軟便を効率的に堰き止め、軟便中の水分を効率的に吸収性補助パッド内に吸収することが可能となる。
【図面の簡単な説明】
【００１８】
【図１Ａ】本発明の一の態様による吸収性補助パッドの側面図である。
【図１Ｂ】本発明の他の態様による吸収性補助パッドの側面図である。
【図２】図１ＡのＱ部の拡大図である。
【図３】図１ＡのＹ１−Ｙ１に沿った概略的な断面図である。
【図４】本発明の吸収性補助パッドの使用例を示す図面である。
【図５】図４のＡ１−Ａ１断面図である。
【図６】本発明の吸収性補助パッドの使用例を示す図面である。
【図７】図６のＢ１−Ｂ１断面図である。
【図８】実施例１で用いた開孔の説明図である。
【発明を実施するための形態】
【００１９】
以下、添付図面を参照して、本発明を実施するための形態について、詳細に説明する。なお、本発明の実施形態の説明の全体を通して、同じ要素には同じ符号を付している。
【００２０】
本明細書の説明において、吸収性補助パッド１の着用時とは、吸収性補助パッド１の装着時及び装着後の少なくとも一方をいう。吸収性補助パッド１の長手方向とは、柱状の形態である吸収性補助パッド１の側面に平行な方向であり、図中Ｘで表す方向である。一方、吸収性補助パッド１の短手方向とは、長手方向に対して横又は直交する方向であり、図中Ｙで表す方向である。さらに、身体側表面とは、吸収体２０等の各部材の表裏両面のうち、着用時に着用者の肌側に配される面であり、衣類側表面とは、吸収体２０等の各部材の表裏両面のうち、着用時に着用者の肌側とは反対側に向けられる面である。
【００２１】
＜吸収性補助パッド＞
図１Ａ及び図１Ｂは本発明の吸収性補助パッド１の側面図、図２は図１ＡのＱ部の拡大図、図３は本発明の吸収性補助パッド１の概略的な断面図（図１ＡのＹ１−Ｙ１の断面図）、図４及び図６は本発明の吸収性補助パッド１の使用例を示す図面、図５は図４のＡ１−Ａ１断面図、図７は図６のＢ１−Ｂ１断面図である。本発明の吸収性補助パッド１は、図４及び図５に示すように、テープ止めタイプ等の紙おむつ４０に、直接配置させることもでき、また、図６及び図７に示すように、テープ止めタイプ等の紙おむつ４０に尿取りパッド５０を装着させ、尿取りパッド５０の身体側に、配置させることもできる。吸収性補助パッド１は、図１Ａから図３に示すように、吸収体２０、液透過性の表面材３０及び中間材３８から構成され、可撓性を有する柱状の形態であり、少なくとも、吸収体２０の長手方向の側面は、表面材３０に覆われており、テープ止めタイプ等の紙おむつ４０や尿取りパッド５０等の吸収性物品の端部に配置されるものである。このため、吸収性補助パッド１を、図４から図７に示すように、テープ止めタイプ等の紙おむつ４０や尿取りパッド５０等の吸収性物品の股部ｂに位置する排尿領域及び排便領域を前部ａから後部ｃにかけて囲い、かつ、テープ止めタイプ等の紙おむつ４０の立体ギャザー４１や尿取りパッド５０の立体ギャザー５１の内側に沿うように、略Ｕ字状に配置することにより、吸収性補助パッド１が軟便等を堰き止め、吸収性物品からの軟便等の漏れを防止することができる。また、本発明の吸収性補助パッド１は、吸収体２０と表面材３０とからなるシンプルな構成であるため、原材料コスト及び加工コストを抑えることができる。
【００２２】
吸収性補助パッド１の短手方向の断面の形状は、フィット性の観点から、略矩形又は略円形である。また、吸収性補助パッド１の長手方向の寸法（図１ＡのＬ１参照）は、８００ｍｍ以上１５００ｍｍ以下であり、１０００ｍｍ以上１２００ｍｍ以下であることが好ましく、吸収性補助パッド１の短手方向の断面の外周（図３のＬ２参照）は、９５ｍｍ以上１４０ｍｍ以下であり、１００ｍｍ以上１２０ｍｍ以下であることがより好ましい。吸収性補助パッド１の長手方向の寸法と短手方向の断面の外周を上記の範囲にすることで、着用する吸収性物品の態様、大きさ、形状に合わせて、軟便等の漏れを適切に防止できる吸収性補助パッド１を提供することができる。
【００２３】
（圧縮率）
本発明の吸収性補助パッド１の無荷重の厚さ（以下、「圧縮前の厚さ」とする）は、１５ｍｍ以上３５ｍｍ以下であることが好ましく、２０ｍｍ以上３０ｍｍ以下であることがより好ましい。また、吸収性補助パッド１に、縦及び横の寸法が５０ｍｍであるアクリルプレートを乗せ、さらに、アクリルプレートの上に６８８ｇの重りを乗せた状態での吸収性補助パッド１の厚さ（以下、「圧縮後の厚さ」とする）は、５ｍｍ以上１５ｍｍ以下であることが好ましく、８ｍｍ以上１０ｍｍ以下であることがより好ましい。さらに、｛圧縮前の厚さ（ｍｍ）−圧縮後の厚さ（ｍｍ）｝／圧縮前の厚さ（ｍｍ）×１００の式で算出される数値を、吸収性補助パッド１の圧縮率（％）とし、圧縮率（％）は、フィット性の観点から、３０％以上６０％以下であることが好ましく、４５％以上５５％以下であることがより好ましい。圧縮前後の厚さ及び圧縮率を上記の範囲とすることで、吸収性補助パッド１が、体圧がかかった身体に隙間なくフィットし、軟便等の漏れを効果的に防止することができ、かつ、着用時の痛みや褥瘡を防止することができる。
【００２４】
［吸収体］
本発明に用いられる吸収体２０は、次の態様のいずれかを用いることが好ましい。
【００２５】
（吸収体の第一の態様）
本発明に用いる吸収体２０の基材は、軟便等を吸収できるものであれば、特に限定されないが、第一の態様として、吸収体２０は、少なくとも吸収性繊維を含有することが好ましい。吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティッシュ、吸収紙等が挙げられるが、これらの中でも、適度な通液性及び吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収性繊維は、吸収性能及び肌触りを損なわないよう、１００ｇ／ｍ２以上８００ｇ／ｍ２以下の坪量とすることが好ましい。なお、当該態様において、吸収体２０は、吸収性繊維に加えて、高吸収性ポリマー（ＳＡＰ）を含有してもよいが、ＳＡＰを混合せずに、フラッフパルプ等の吸収性繊維のみで構成したほうが、吸収体２０が柔らかくなることで、身体と吸収性物品との隙間を埋めることができ、より効果的に軟便等の漏れを防止することができる点で、好ましい。
【００２６】
ＳＡＰとしては、体液を吸収し、かつ、逆流を防止できるものであれば特に制限はなく、ポリアクリル酸ナトリウム系共重合体、ポリアスパラギン酸塩系共重合体、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系共重合体が好ましい。吸収体２０にＳＡＰを含有させる場合には、吸収体２０のＳＡＰ量は、吸収性能及び肌触りを損なわないよう、５００ｇ／ｍ２以下の坪量とすることが好ましい。また、肌触り、吸収速度及び吸収量の観点から、吸収体２０の重量に対するＳＡＰの重量は、５０質量％以下であることが好ましい。なお、吸収体２０において、吸収性繊維の他にＳＡＰを混合する場合には、吸収性繊維及びＳＡＰの形態は、吸収性繊維中にＳＡＰ粒子を混合して形成すればよい。
【００２７】
（吸収体の第二の態様）
また、上記の第一の態様とは異なる吸収体２０の第二の態様として、吸収体２０が、一種又は二種以上の親水性嵩高不織布であり、親水性嵩高不織布が積層され又は図３に示すように蛇腹状に折り畳まれていることが好ましい。
【００２８】
親水性嵩高不織布の素材としては、親水化処理したポリプロピレンやポリエチレン等の合成繊維やレーヨン等の再生繊維を用いることができ、親水性嵩高不織布の加工法としては、スパンボンド法、スパンレース法、エアレイド法、メルトブロー法等の公知の加工法を用いることができる。これらの素材及び加工法で作られる親水性嵩高不織布のうち、本発明の吸収性補助パッド１に用いる親水性嵩高不織布としては、適度な通液性および吸収性の観点から、パルプ含有エアレイド不織布、バインダーを使用せずに木材パルプを交絡させたポリプロピレンメルトブローン不織布、又は、レーヨンスパンレース不織布を用いることが好ましい。
【００２９】
なお、吸収体２０の吸収性の観点から、上記のパルプ含有エアレイド不織布に含まれるパルプの重量は、吸収体２０の重量に対して、８０％以上であることが好ましく、上記のバインダーを使用せずに木材パルプを交絡させたポリプロピレンメルトブローン不織布に含まれる木材パルプの重量は、吸収体２０の重量に対して、６０％以上８０％以下であることが好ましい。
【００３０】
［表面材］
表面材３０は、吸収体２０に向けて体液を速やかに通過させるものであり、少なくとも、吸収体２０の長手方向の側面を覆っている。
【００３１】
表面材３０は、図２に示すように、開孔３０ａを有する。開孔３０ａは、吸収性補助パッド１の表面に軟便が付着して生じうる目詰まりを、低減する機能（以下、「目詰まり低減機能」と称する）を有する。開孔３０ａの形状は任意であるが、強度を確保する観点からは、円または楕円が好ましい。表面材３０の開口率は、１０％以上５０％以下が好ましく、１０％以上３０％以下がより好ましい。これにより、目詰まり低減機能を高めることができる。また、開口率を１０％以上３０％以下とすることで、最外装シートとして必要な強度を確保できる。なお、開口率は、単位面積あたりの開孔３０ａの面積の割合を表す。
例えば開孔３０ａの形状が円である場合、開孔３０ａの円形状は、半径０．５ｍｍ以上６ｍｍ以下が好ましく、半径０．５ｍｍ以上４ｍｍ以下がより好ましく、半径１ｍｍ以上３ｍｍ以下が更に好ましい。半径が０．５ｍｍを下回ると、軟便が開孔３０ａに詰まり、開孔３０ａが早期に塞がれてしまう。半径が４ｍｍを超えると、開孔３０ａが大きすぎ、軟便を堰き止める効果が小さくなってしまう。
【００３２】
また、表面材３０は、開孔３０ａを有する不織布であれば任意であるが、コットン混スパンレース方式で製造された不織布や、エアスルー方式、パンチングエアスルー方式で製造された不織布が好適である。表面材３０は、肌と当接するシートとなることから、柔らかな感触で、肌に刺激を与えないような基材、例えば、サーマルボンド不織布、スパンボンド不織布、サーマルボンド／スパンボンドを積層した複合不織布といった材料から形成される。表面材３０は、単層であっても、複数層積層していてもよい。なお、本発明に用いる表面材３０としては、親水性エアスルー不織布、親水性サーマルボンド不織布、又は、親水性スパンボンド不織布であることが好ましい。不織布の素材としては、ポリプロピレンやポリエチレン等の合成繊維やレーヨン等の再生繊維、綿等の天然繊維を用いることができる。
【００３３】
表面材３０は、図１Ａに示すように、直線状の第一の接合部３１を、長手方向に有しており、当該接合部により、表面材３０が接合され、吸収体２０の短手方向の側面を覆うことができる。表面材３０の接合は、ヒートシール、超音波シール、ホットメルト等の公知の方法により行うことができる。また、吸収体２０が上記した第一の態様である場合で、かつ、吸収性繊維がフラッフパルプである場合には、フラッフパルプが吸収性補助パッド１の長手方向両端部から漏れることを防止するために、図１Ｂに示すように、表面材３０の長手方向両端部が第二の接合部３２により、閉塞されており、表面材３０が、吸収体２０の全体を覆っていることが好ましい。すなわち、表面材３０は、吸収体２０の長手方向の側面を更に覆ってもよい。
【００３４】
さらに、表面材３０の坪量は、加工性及び強度の点から、１５ｇ／ｍ２以上２００ｇ／ｍ２以下であることが好ましく、１８ｇ／ｍ２以上８０ｇ／ｍ２以下であることがより好ましい。坪量が１５ｇ／ｍ２を下回ると強度が低く、２００ｇ／ｍ２を上回ると厚みがありすぎて吸収効率が悪いためである。１８ｇ／ｍ２以上８０ｇ／ｍ２以下とすることで、強度と吸収効率の両立を図ることができる。なお、表面材３０には、肌への刺激を低減させるために、ローション、酸化防止剤、抗炎症成分、ｐＨ調整剤、抗菌剤、保湿剤等を適用してもよい。
【００３５】
（係止手段）
また、表面材３０は、吸収性補助パッド１の長手方向の両端部同士を係止する係止手段を、少なくとも一箇所に有していてもよい。係止手段により、長手方向の両端部同士を係止することにより、吸収性補助パッド１をＯ字状に吸収性物品に配置することもできる。吸収性補助パッド１をＯ字状に配置することにより、側臥位である場合に、軟便等が前方へ漏れることを防止することができる。なお、係止手段としては、フック部材、粘着剤等を用いることができる。
【００３６】
（固定手段）
また、表面材３０は、吸収性補助パッド１を吸収性物品の表面に固定する固定手段を、少なくとも一箇所に有していてもよい。固定手段としては、フック部材、粘着剤等を用いることができる。また、固定手段を保護するための剥離シートを有していてもよく、この剥離シートは、吸収性補助パッド１の包装シートと一体となっていてもよい。
【００３７】
［中間材］
中間材３８は、図３に示すように、表面材３０と吸収体２０の間に設けられる。中間材３８は、開孔を有さない親水性不織布からなる。親水性不織布の素材としては、例えば、親水化処理したポリプロピレンやポリエチレン等の合成繊維やレーヨン等の再生繊維を用いることができる。
【００３８】
中間材３８は、表面材３０の開孔３０ａに付着した軟便中の水分の吸収体２０への吸収を阻害せずに、表面材３０の開孔３０ａを介して侵入しうる固形物を堰き止める機能を有する。中間材３８は、表面材３０や吸収体２０に貼り合わされて一体化されてもよい。貼り合わせ方法は、任意であるが、ホットメルトを用いると開孔３０ａからの染み出しなどの不都合が生じる可能性があるため、熱や超音波による融着がより好ましい。
＜吸収性補助パッドの使用方法＞
本発明の吸収性補助パッド１の使用方法について、図４から図７を用いて説明する。本発明の吸収性補助パッド１は、図４及び図５に示すように、吸収性物品であるテープ止めタイプ等の紙おむつ４０に、直接配置させることもできる。具体的には、テープ止めタイプ等の紙おむつ４０のトップシート４２上の股部ｂに位置する排尿領域及び排便領域を前部ａから後部ｃにかけて囲うように、かつ、テープ止めタイプ等の紙おむつ４０の立体ギャザー４１の内側に沿うように、略Ｕ字状に配置する。このように、吸収性補助パッド１を配置することにより、吸収性補助パッド１が軟便等を堰き止め、テープ止めタイプ等の紙おむつ４０からの軟便等の漏れを防止することができる。また、図６及び図７に示すように、本発明の吸収性補助パッド１は、テープ止めタイプ等の紙おむつ４０と尿取りパッド５０を併用する場合にも、使用することができる。具体的には、テープ止めタイプ等の紙おむつ４０のトップシート４２の身体側に吸収性物品である尿取りパッド５０を、装着させ、尿取りパッド５０のトップシート５２の身体側に、吸収性補助パッド１を配置させる。この場合も、尿取りパッド５０のトップシート５２上の股部ｂに位置する排尿領域及び排便領域を前部ａから後部ｃにかけて囲うように、かつ、テープ止めタイプ等の紙おむつ４０の立体ギャザー４１の内側に沿うように、さらに、尿取りパッド５０が立体ギャザー５１を備える場合には尿取りパッド５０の立体ギャザー５１の内側に沿うように、略Ｕ字状に配置する。このように、吸収性補助パッド１を配置することにより、吸収性補助パッド１が軟便等を堰き止め、尿取りパッド５０からテープ止めタイプ等の紙おむつ４０への軟便等の漏れを防止することができる。
【００３９】
＜吸収性補助パッドの効果＞
上述のように、本発明の吸収性補助パッド１を、テープ止めタイプ等の紙おむつや尿取りパッド等の吸収性物品の端部に、例えば、吸収性物品の股部ｂに位置する排尿領域及び排便領域を前部ａから後部ｃにかけて囲い、かつ、吸収性物品の立体ギャザーの内側に沿うように、略Ｕ字状に配置することにより、吸収性補助パッドが軟便等を堰き止め、吸収性物品からの軟便等の漏れを防止することができる。
【００４０】
また、本発明の吸収性補助パッド１によれば、吸収性補助パッド１の表面で軟便の固形分を効率的に堰き止め、軟便中の水分を効率的に吸収体２０に吸わせることができる。すなわち、表面材３０の
【実施例】
【００４１】
以下、本発明について実施例を挙げて詳細に説明する。なお、本発明は、以下に示す実施例に何ら限定されるものではない。
【００４２】
＜実施例１、比較例１＞
発明者は、以下の実施例１については、比較例１との対比で効果を確認した。
実施例１及び比較例１は、吸収性補助パッドの長手方向の外寸が約８９０ｍｍであり、長手方向の内寸は約７３０ｍｍである。なお、内寸とは、吸収性補助パッドにおける吸収体の外寸に対応する。
表面材には、１８ｇｓｍの親水エアスルー不織布を用いた。実施例は、開孔があるものを、比較例は開孔のないものを用いた。実施例１の表面材の開孔は、図８に示すように、角千鳥型であり、各種寸法Ｄ＝３ｍｍ、Ｐ＝９ｍｍとし、半径は１．５ｍｍとした。なお、この場合、開孔率は、１７．４％である。中間材は、比較例１の表面材と同じものを用いた。なお、比較例１では、中間材は使用しない。実施例１及び比較例１では、ともに、フラッフパルプとポリマーを配合してなる吸収体を用いた。
試験は、次のように行った。市販のヨーグルトを１．５倍に希釈し、模擬軟便とした。模擬軟便５００ｇを広げたバットに、実施例１及び比較例１の各サンプルを置く。置いてから３分後に、実施例１及び比較例１の各サンプルの吸液量を測定した。その結果、比較例１では、吸液量が６２ｇであったのに対して、実施例１では、吸液量が１００ｇであり、有利な効果が確認できた。
【符号の説明】
【００４３】
１        吸収性補助パッド
２０      吸収体
３０      表面材
３１      第一の接合部
３２      第二の接合部
３８      中間材
４０      吸収性物品（テープ止めタイプ等の紙おむつ）
４１      吸収性物品（テープ止めタイプ等の紙おむつ）の立体ギャザー
４２      吸収性物品（テープ止めタイプ等の紙おむつ）のトップシート
５０      吸収性物品（尿取りパッド）
５１      吸収性物品（尿取りパッド）の立体ギャザー
５２      吸収性物品（尿取りパッド）のトップシート
ａ        前部
ｂ        股部
ｃ        後部
【図１Ａ】
2020018565.tif 000003
【図１Ｂ】
2020018565.tif 000004
【図２】
2020018565.tif 000005
【図３】
2020018565.tif 000006
【図４】
2020018565.tif 000007
【図５】
2020018565.tif 000008
【図６】
2020018565.tif 000009
【図７】
2020018565.tif 000010
【図８】
2020018565.tif 000011